(57)【特許請求の範囲】
【請求項１】
ＬＥＤを直線状に取り付ける器具本体と、
前記器具本体に着脱可能なカバー枠体と、
前記器具本体から前記カバー枠体を外したときに前記カバー枠体が落下するのを防止するための落下防止ワイヤとを備え、
前記器具本体に前記落下防止ワイヤを挿通させる孔が設けられるとともに、前記孔における前記器具本体の内側に前記落下防止ワイヤの抜止部が設けられ、
前記孔が、縁部を曲面状に形成されており、前記抜止部は、前記孔の内側に形成される爪である照明器具。
【請求項２】
ＬＥＤを直線状に取り付ける器具本体と、
前記器具本体に着脱可能なカバー枠体と、
前記器具本体から前記カバー枠体を外したときに前記カバー枠体が落下するのを防止するための落下防止ワイヤとを備え、
前記器具本体に前記落下防止ワイヤを挿通させる孔が設けられるとともに、前記孔における前記器具本体の内側に前記落下防止ワイヤの抜止部が設けられ、
前記孔が筒状のガイドであり、前記抜止部は、前記ガイドの内側に形成される爪である照明器具。
【請求項３】
請求項１または請求項２に記載の照明器具において、
前記落下防止ワイヤは、屈曲性が低く硬い線状体であり、前記カバー枠体が前記器具本体に装着される方向に移動されたときに、前記孔から前記器具本体の内側方向へ収容される照明器具。
【発明の詳細な説明】
【技術分野】
【０００１】
本発明は、ＬＥＤを光源として天井面に設置される照明器具に関する。
【背景技術】
【０００２】
従来より、器具本体に落下防止ワイヤの一端を取り付け、落下防止ワイヤの他端をルーバに取り付けた照明器具が知られている（例えば、特許文献１参照）。
特許文献１に記載の照明器具は、施工時に落下防止ワイヤが垂れ下がるために、落下防止ワイヤをルーバに装着することを認識させて装着忘れを防止できる。
【先行技術文献】
【特許文献】
【０００３】
【特許文献１】特開２００８−２１５３９号公報（図１、請求項１）
【発明の概要】
【発明が解決しようとする課題】
【０００４】
ところが、前述した特許文献１に記載された照明器具は、器具本体に透光性のあるカバー枠が取り付けられる場合に、落下防止ワイヤがカバー枠の内面側に残っていると、光源が点灯された際に、カバー枠の内側に残されている落下防止ワイヤの影がカバー枠の表面上に映り込む。
従って、前述した特許文献１に記載された照明器具は、外観イメージすなわち美的感覚に劣るものとなる。
【０００５】
また、前述した特許文献１に記載された照明器具は、器具本体に取り付けられる落下防止ワイヤの一端が例えばＳ字形状のフックになっており、このフックを器具本体に引掛けることにより落下防止ワイヤが器具本体に取り付けられる。そのため、落下防止ワイヤは器具本体から容易に着脱される。
従って、前述した特許文献１に記載された照明器具は、施工時に落下防止ワイヤが弛んだ場合等にフックが器具本体から外れることがあるとともに、施工後に振動等によりフックが器具本体から外れることがある。さらに、一般のユーザーが施工時に落下防止ワイヤのフックを器具本体に取り付けるのを忘れることがある。
【０００６】
本発明は、前述した課題を解決するためになされたものであり、その目的は、落下防止ワイヤを映り込まないようにできるとともに落下防止ワイヤを外れないようにできる照明器具を提供することにある。
【課題を解決するための手段】
【０００７】
本発明の照明器具は、ＬＥＤを直線状に取り付ける器具本体と、前記器具本体に着脱可能なカバー枠体と、前記器具本体から前記カバー枠体を外したときに前記カバー枠体が落下するのを防止するための落下防止ワイヤとを備え、前記器具本体に前記落下防止ワイヤを挿通させる孔が設けられるとともに、前記孔における前記器具本体の内側に前記落下防止ワイヤの抜止部が設けられ、前記孔が、縁部を曲面状に形成されており、前記抜止部は、前記孔の内側に形成される爪である。
【０００８】
本発明に係る照明器具は、ＬＥＤを直線状に取り付ける器具本体と、前記器具本体に着脱可能なカバー枠体と、前記器具本体から前記カバー枠体を外したときに前記カバー枠体が落下するのを防止するための落下防止ワイヤとを備え、前記器具本体に前記落下防止ワイヤを挿通させる孔が設けられるとともに、前記孔における前記器具本体の内側に前記落下防止ワイヤの抜止部が設けられ、前記孔が筒状のガイドであり、前記抜止部は、前記ガイドの内側に形成される爪である。
【０００９】
本発明に係る照明器具は、前記落下防止ワイヤは、屈曲性が低く硬い線状体であり、前記カバー枠体が前記器具本体に装着される方向に移動されたときに、前記孔から前記器具本体の内側方向へ収容される。
【発明の効果】
【００１３】
本発明に係る照明器具によれば、カバー枠体を装着する際に落下防止ワイヤを容易に器具本体内に収納させることでカバー枠表面に映り込まないようにできるとともに、落下防止ワイヤを外れないようにできるという効果を奏する。
【図面の簡単な説明】
【００１４】
【図１】本発明に係る第１実施形態の照明器具の正面図
【図２】本発明に係る第１実施形態の照明器具の側面図
【図３】本発明に係る第１実施形態の照明器具の垂直断面図
【図４】本発明に係る第１実施形態の照明器具における器具本体側落下防止ワイヤ掛止部周りの外観斜視図
【図５】本発明に係る第１実施形態の照明器具における器具本体側落下防止ワイヤ掛止部の側面図
【図６】本発明に係る第１実施形態の照明器具における器具本体側落下防止ワイヤ掛止部の正面図
【図７】本発明に係る第１実施形態の照明器具における落下防止ワイヤの器具本体側落下防止ワイヤ掛止部への掛止手順の第１段階の垂直断面図
【図８】本発明に係る第１実施形態の照明器具における落下防止ワイヤの器具本体側落下防止ワイヤ掛止部への掛止手順の第１段階の水平断面図
【図９】本発明に係る第１実施形態の照明器具における落下防止ワイヤの器具本体側落下防止ワイヤ掛止部への掛止手順の第２段階の水平断面図
【図１０】本発明に係る第１実施形態の照明器具における落下防止ワイヤの器具本体側落下防止ワイヤ掛止部への掛止手順の第３段階の水平断面図
【図１１】本発明に係る第１実施形態の照明器具における落下防止ワイヤの器具本体側落下防止ワイヤ掛止部への掛止手順の第４段階の垂直断面図
【図１２】本発明に係る第１実施形態の照明器具における落下防止ワイヤの器具本体側落下防止ワイヤ掛止部への掛止手順の第４段階の水平断面図
【図１３】本発明に係る第２実施形態の照明器具における器具本体側落下防止ワイヤ掛止部周りの外観斜視図
【図１４】本発明に係る第２実施形態の照明器具における器具本体側落下防止ワイヤ掛止部の側面図
【図１５】本発明に係る第２実施形態の照明器具における器具本体側落下防止ワイヤ掛止部の作用を説明する側面図
【図１６】本発明に係る第３実施形態の照明器具における器具本体側落下防止ワイヤ掛止部の水平断面図
【図１７】本発明に係る第４実施形態の照明器具における器具本体側落下防止ワイヤ掛止部の水平断面図
【発明を実施するための形態】
【００１５】
以下、本発明に係る複数の実施形態の照明器具について図面を参照して説明する。
（第１実施形態）
図１および図２に示すように、本発明に係る第１実施形態の照明器具１０は、器具本体１１と、カバー枠体１２と、落下防止ワイヤ（図３参照）１３とを備え、天井面（図３参照）１の内側に器具本体１１の一部を挿入させて天井面１に設置される。
器具本体１１は、長手方向の端部に半円形状に形成された一対の側部カバー１４を備える。
【００１６】
図３に示すように、器具本体１１は、不図示の点灯回路等を収容する主器具本体部１５の下方に主器具本体部１５の幅寸法よりも大きい幅寸法のカバー枠体取付部１６を有し、カバー枠体取付部１６の内側に副器具本体部１７を有する。
カバー枠体取付部１６は、器具本体１１の幅方向である短手方向の一端部にカバー枠体１２を回動自在に支持するための円柱形状に形成された回動支持部１８を器具本体１１の長手方向に有し、器具本体１１の短手方向の他端部にカバー枠体１２を係止するためのフック形状に形成された係止部１９を有する。
【００１７】
副器具本体部１７は、一対のフランジ付の側板２０と、側板２０の下端縁に接続された底板２１とを有する。副器具本体部１７は、カバー枠体取付部１６の回動支持部１８側の一方の側板２０に器具本体側落下防止ワイヤ掛止部２２を有する。
【００１８】
副器具本体部１７は、その底板２１の下面に、器具本体１１の長手方向にユニット台２３が取り付けられており、このユニット台２３に、複数のＬＥＤ２５を器具本体１１の長手方向に直線状に配置したＬＥＤユニット２４が取り付けられている。ＬＥＤユニット２４は、ＬＥＤ２５が実装されたＬＥＤ基板２６に有する不図示のプリント回路が点灯回路に電気的に接続されている。ユニット台２３には、ＬＥＤユニット２４を覆って半円筒形状に形成されたレンズ２７が器具本体１１の長手方向に取り付けられている。レンズ２７は、その内面にＬＥＤ２５からの光成分を拡散するための光拡散部２８が設けられる。
【００１９】
カバー枠体１２は、例えば透明や乳白色の樹脂材料により半円筒形状に形成されたカバー２９と、カバー２９の短手方向の一端部に取り付けられた第１枠部３０と、カバー２９の短手方向の他端部に取り付けられた第２枠部３１とを有する。
第１枠部３０は、その上端部にカバー枠体取付部１６の回動支持部１８に係合される回動受部３２を有し、その下端部にカバー取付部３３を有し、カバー取付部３３の内側にカバー枠体側落下防止ワイヤ取付部３４を有する。
第２枠部３１は、その上端部に、カバー枠体取付部１６の係止部１９に係止される係止受部３５を有し、その下端部にカバー取付部３６を有する。
【００２０】
カバー枠体１２は、第１枠部３０の回動受部３２がカバー枠体取付部１６の回動支持部１８に係合された状態において、第２枠部３１の係止受部３５がカバー枠体取付部１６の係止部１９に係止されることによりカバー枠体取付部１６に組み付けられる。
【００２１】
カバー枠体１２は、第１枠部３０の回動受部３２がカバー枠体取付部１６の回動支持部１８に係合された状態において、第２枠部３１の係止受部３５がカバー枠体取付部１６の係止部１９から係止を解除されると、回動支持部１８を中心として回動されて、ＬＥＤユニット２４を露出させ、ＬＥＤユニット２４の点検や交換が行われる。
【００２２】
カバー枠体１２は、第２枠部３１の係止受部３５がカバー枠体取付部１６の係止部１９から係止を解除されている状態において、第１枠部３０の回動受部３２がカバー枠体取付部１６の回動支持部１８から係合を解除されると、カバー枠体取付部１６から分離されて取り外される。
【００２３】
落下防止ワイヤ１３は、屈曲性が低く硬い線状体であるワイヤ本体部３７を有する。落下防止ワイヤ１３は、ワイヤ本体部３７のカバー枠体１２側の一端部にワイヤ本体部３７の外径寸法よりも大きい外径寸法を有して結束された球形の一端側結束部３８を有し、ワイヤ本体部３７の副器具本体部１７側の他端部にワイヤ本体部３７の外径寸法よりも大きい外径寸法を有して結束された球形の他端側結束部３９を有する。
【００２４】
落下防止ワイヤ１３は、一端側結束部３８がカバー枠体側落下防止ワイヤ取付部３４に係止される。このとき、カバー枠体側落下防止ワイヤ取付部３４がＣ字形状に形成されているために、カバー枠体側落下防止ワイヤ取付部３４の内側にワイヤ本体部３７が挿通された状態で一端側結束部３８がカバー枠体側落下防止ワイヤ取付部３４に引っ掛って係止される。そのため、落下防止ワイヤ１３は、一端側結束部３８がカバー枠体側落下防止ワイヤ取付部３４から位置ずれすることなく強固に取り付けられる。
落下防止ワイヤ１３は、他端側結束部３９が器具本体側落下防止ワイヤ掛止部２２に掛止される。
【００２５】
次に、器具本体側落下防止ワイヤ掛止部２２について詳細に説明する。
図４に示すように、落下防止ワイヤ１３は、ワイヤ本体部３７が外径寸法Ｌ１を有し、他端側結束部３９が外径寸法Ｌ２を有する。
器具本体側落下防止ワイヤ掛止部２２は、副器具本体部１７の一方の側板２０において、大孔部４１と小孔部４２とを有して形成された孔４０と、抜止部４３を構成し、大孔部４１を一方の側板２０の裏面から覆うばね部材４４とを有する。
従って、器具本体側落下防止ワイヤ掛止部２２が、大孔部４１と小孔部４２とを有する孔４０と、抜止部４３を構成するばね部材４４とから形成されるために、単純な構造によりコスト面で有利に製造できる。
【００２６】
図５および図６に示すように、孔４０は、大孔部４１における副器具本体部１７の長手方向の一部に小孔部４２が連通して接続されている。大孔部４１は、落下防止ワイヤ１３のワイヤ本体部３７が有する外径寸法Ｌ１よりも十分に大きく、かつ、落下防止ワイヤ１３の他端側結束部３９が有する外径寸法Ｌ２よりも十分に大きい内径寸法Ｌ３を有する。
【００２７】
ばね部材４４は、若干の弾性反発力を有する板部材であって、大孔部４１において、副器具本体部１７の一方の側板２０の裏面に、表面からねじ込まれたねじ４５によりねじ止めされている。
ばね部材４４は、大孔部４１から小孔部４２へ向けて長さを有して取り付けられているために、小孔部４２において、落下防止ワイヤ１３のワイヤ本体部３７が有する外径寸法Ｌ１よりもわずかに大きい内径寸法Ｌ４のワイヤ本体挿通部４６が形成される。
【００２８】
次に、落下防止ワイヤ１３の器具本体側落下防止ワイヤ掛止部２２への掛止手順について説明する。
図７に示すように、器具本体１１からカバー枠体１２が取り外されている。落下防止ワイヤ１３は、一端側結束部３８がカバー枠体側落下防止ワイヤ取付部３４に係止されているために、屈曲性が低く硬い線状体であるワイヤ本体部３７が、その他端側結束部３９を上方に向けて配置する。
図８に示すように、このとき、器具本体側落下防止ワイヤ掛止部２２は、ばね部材４４が副器具本体部１７の一方の側板２０に密着するように副器具本体部１７の一方の側板２０に平行に配置されている。
【００２９】
図９に示すように、カバー枠体１２が器具本体１１に向けて進行されることにより、落下防止ワイヤ１３は、他端側結束部３９が器具本体側落下防止ワイヤ掛止部２２において大孔部４１を通じて副器具本体部１７の内側へ押圧されるために、ばね部材４４を副器具本体部１７の内側へ向けて弾性変形させる。
【００３０】
図１０に示すように、副器具本体部１７の内側へ向けて弾性変形されたばね部材４４は、自らに蓄積された弾性復元力により大孔部４１を覆う方向に向けて弾性復元されるために、落下防止ワイヤ１３は、その他端側結束部３９が小孔部４２に向けて強制的に押圧される。他端側結束部３９が小孔部４２に向けて強制的に押圧された落下防止ワイヤ１３は、大孔部４１から押し出されて小孔部４２に移動され、ワイヤ本体部３７が小孔部４２においてワイヤ本体挿通部４６に配置される。
【００３１】
図１１および図１２に示すように、ワイヤ本体部３７が小孔部４２においてワイヤ本体挿通部４６に配置された落下防止ワイヤ１３は、ワイヤ本体部３７に有する特性により、ワイヤ本体部３７がワイヤ本体挿通部４６内を挿通されて、他端側結束部３９が副器具本体部１７の一方の側板２０の内側へ向けて移動される。
従って、単純な構造のばね部材４４により、落下防止ワイヤ１３の他端側結束部３９を器具本体側落下防止ワイヤ掛止部２２に挿通できるとともに落下防止ワイヤ１３のワイヤ本体部３７を器具本体側落下防止ワイヤ掛止部２２のワイヤ本体挿通部４６へ強制的に移動できる。
【００３２】
図３に戻り、他端側結束部３９が副器具本体部１７の一方の側板２０の内側へ向けて移動された落下防止ワイヤ１３は、そのワイヤ本体部３７が、ＬＥＤユニット２４からの光成分が照射されない位置において副器具本体部１７の周囲に残らずに副器具本体部１７内に収容される。そして、第２枠部３１の係止受部３５がカバー枠体取付部１６の係止部１９に係止される。
従って、落下防止ワイヤ１３がカバー枠体１２のカバー２９に映り込まないようにできる。
【００３３】
第２枠部３１の係止受部３５がカバー枠体取付部１６の係止部１９から係止を解除され、第１枠部３０の回動受部３２がカバー枠体取付部１６の回動支持部１８から係合を解除されることにより、カバー枠体１２がカバー枠体取付部１６から分離されると、カバー枠体１２に自重により下方へ向く力がかかる。
このとき、落下防止ワイヤ１３は、ワイヤ本体部３７がワイヤ本体挿通部４６内を下方に向けて挿通されていき、他端側結束部３９が副器具本体部１７の一方の側板２０の内側においてワイヤ本体挿通部４６の周囲に掛止される。
【００３４】
これにより、落下防止ワイヤ１３は、他端側結束部３９が副器具本体部１７の一方の側板２０において器具本体側落下防止ワイヤ掛止部２２から外れることなく掛止されて、カバー枠体１２を器具本体１１の下方に吊り下げる。
従って、落下防止ワイヤ１３が器具本体１１から外れないようにできる。
【００３５】
以上、説明した第１実施形態の照明器具１０によれば、器具本体側落下防止ワイヤ掛止部２２の孔４０に落下防止ワイヤ１３が挿通された後に、器具本体側落下防止ワイヤ掛止部２２の抜止部４３により落下防止ワイヤ１３が抜け止められるために、落下防止ワイヤ１３を器具本体１１から外れないようにできる。
【００３６】
また、第１実施形態の照明器具１０によれば、屈曲性が低く硬い線状体のワイヤ本体部３７を有する落下防止ワイヤ１３が、カバー枠体１２が副器具本体部１７に装着される方向に移動されたときに、孔４０から副器具本体部１７の一方の側板２０の内側方向へ収容されるために、落下防止ワイヤ１３をカバー枠体１２のカバー２９に映り込まないようにできる。
【００３７】
そして、第１実施形態の照明器具１０によれば、器具本体側落下防止ワイヤ掛止部２２が、大孔部４１と小孔部４２とを有する孔４０と、抜止部４３を構成するばね部材４４とから形成されるために、単純な構造によりコスト面で有利に製造できる。
【００３８】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００３９】
図１３に示すように、本発明に係る第２実施形態の照明器具５０に有する器具本体側落下防止ワイヤ掛止部５１は、大孔部５３と小孔部５４とを有する孔５２を有し、抜止部５５が、大孔部５３と小孔部５４との間を連通して接続された溝５６である。大孔部５３は、副器具本体部１７の一方の側板２０において上方に配置され、小孔部５４は、大孔部５３の下方に配置される。
【００４０】
図１４に示すように、溝５６は、大孔部５３側から小孔部５４に向けて、落下防止ワイヤ１３に有するワイヤ本体部３７の外径寸法Ｌ１よりもわずかに小さい内径寸法Ｌ５を有するようにテーパ状に形成されている。
【００４１】
図１５に示すように、カバー枠体１２が器具本体１１に向けて進行されることにより、落下防止ワイヤ１３は、他端側結束部３９が大孔部５３から副器具本体部１７の内側へ押圧されながら進行されていく。そのため、ワイヤ本体部３７が、ＬＥＤユニット２４からの光成分が照射されない位置において副器具本体部１７の周囲に残らずに副器具本体部１７内に収容される。そして、第２枠部３１の係止受部３５がカバー枠体取付部１６の係止部１９に係止される。
【００４２】
第２枠部３１の係止受部３５がカバー枠体取付部１６の係止部１９から係止を解除され、第１枠部３０の回動受部３２がカバー枠体取付部１６の回動支持部１８から係合を解除されることにより、カバー枠体１２がカバー枠体取付部１６から分離されると、カバー枠体１２に自重により下方へ向く力がかかる。
このとき、他端側結束部３９が副器具本体部１７の内側に配置されている落下防止ワイヤ１３は、ワイヤ本体部３７が大孔部５３内において下方に向けて引っ張られるために、ワイヤ本体部３７が溝５６に誘導されながら小孔部５４へ落とし込まれる。
【００４３】
そして、落下防止ワイヤ１３は、ワイヤ本体部３７が下方へ向けて引っ張られ続けるために、他端側結束部３９が副器具本体部１７の内側において器具本体側落下防止ワイヤ掛止部５１に掛止され、他端側結束部３９が器具本体側落下防止ワイヤ掛止部５１から外れることなく掛止されたままとなって、カバー枠体１２を器具本体１１の下方に吊り下げる。
【００４４】
第２実施形態の照明器具５０によれば、ばね部材等を用いることなく、より簡素な構造で、落下防止ワイヤ１３を映り込まないようにできるとともに落下防止ワイヤ１３を外れないようにできる。
【００４５】
（第３実施形態）
次に、本発明に係る第３実施形態の照明器具について説明する。
図１６に示すように、本発明に係る第３実施形態の照明器具６０に有する器具本体側落下防止ワイヤ掛止部６１は、縁部が曲面状に形成された孔６２を有し、抜止部６３が、孔６２の内側に形成された爪６４である。
【００４６】
器具本体１１から分離されているカバー枠体１２が器具本体１１に向けて進行されることにより、落下防止ワイヤ１３は、他端側結束部３９が孔６２を貫通して副器具本体部１７の内側へ押圧されながら進行されていく。そのため、ワイヤ本体部３７が、ＬＥＤユニット２４からの光成分が照射されない位置において副器具本体部１７の周囲に残らずに副器具本体部１７内に収容される。そして、第２枠部３１の係止受部３５がカバー枠体取付部１６の係止部１９に係止される。
【００４７】
第２枠部３１の係止受部３５がカバー枠体取付部１６の係止部１９から係止を解除され、第１枠部３０の回動受部３２がカバー枠体取付部１６の回動支持部１８から係合を解除されることにより、カバー枠体１２がカバー枠体取付部１６から分離されると、カバー枠体１２に自重により下方へ向く力がかかる。
【００４８】
このとき、他端側結束部３９が副器具本体部１７の内側に配置されている落下防止ワイヤ１３は、ワイヤ本体部３７が孔６２内を下方に向けて引っ張られるために、他端側結束部３９が副器具本体部１７の内側において抜止部６３の爪６４に掛止される。
そのため、他端側結束部３９が副器具本体部１７の一方の側板２０において器具本体側落下防止ワイヤ掛止部６１から外れることなく掛止されたままとなって、カバー枠体１２を器具本体１１の下方に吊り下げる。
【００４９】
第３実施形態の照明器具６０によれば、縁部が曲面状に形成された孔６２を成形するだけで器具本体側落下防止ワイヤ掛止部６１が形成されるために、極めて簡単に製造できるとともに、落下防止ワイヤ１３の収納性を向上でき、ばね部材等を用いることなく、より簡素な構造で、落下防止ワイヤ１３を映り込まないようにできるとともに落下防止ワイヤ１３を外れないようにできる。
【００５０】
（第４実施形態）
次に、本発明に係る第４実施形態の照明器具について説明する。
図１７に示すように、本発明に係る第４実施形態の照明器具７０に有する器具本体側落下防止ワイヤ掛止部７１は、孔７２が副器具本体部１７の一方の側板２０に取り付けられた筒状のガイド７３の内周部に形成されており、抜止部７４がガイド７３の内周部の端部に形成された爪７５である。
【００５１】
器具本体１１から分離されているカバー枠体１２が器具本体１１に向けて進行されることにより、落下防止ワイヤ１３は、他端側結束部３９がガイド７３を貫通して副器具本体部１７の内側へ押圧されながら進行されていく。そのため、ワイヤ本体部３７が、ＬＥＤユニット２４からの光成分が照射されない位置において副器具本体部１７の周囲に残らずに副器具本体部１７内に収容される。そして、第２枠部３１の係止受部３５がカバー枠体取付部１６の係止部１９に係止される。
【００５２】
第２枠部３１の係止受部３５がカバー枠体取付部１６の係止部１９から係止を解除され、第１枠部３０の回動受部３２がカバー枠体取付部１６の回動支持部１８から係合を解除されることにより、カバー枠体１２がカバー枠体取付部１６から分離されると、カバー枠体１２に自重により下方へ向く力がかかる。
【００５３】
このとき、他端側結束部３９が副器具本体部１７の内側に配置されている落下防止ワイヤ１３は、ワイヤ本体部３７がガイド７３内を下方に向けて引っ張られるために、他端側結束部３９が副器具本体部１７の内側において抜止部７４の爪７５に掛止される。
そのため、他端側結束部３９が副器具本体部１７の一方の側板２０において器具本体側落下防止ワイヤ掛止部７１から外れることなく掛止されたままとなって、カバー枠体１２を器具本体１１の下方に吊り下げる。
【００５４】
第４実施形態の照明器具７０によれば、落下防止ワイヤ１３の収納性を向上できるとともに、ばね部材等を用いることなく、より簡素な構造で、落下防止ワイヤ１３を映り込まないようにできるとともに落下防止ワイヤ１３を外れないようにできる。
【００５５】
なお、本発明の照明器具において器具本体，カバー，ＬＥＤユニット，レンズ等は、前述した各実施形態に限定されるものでなく、適宜な変形や改良等が可能である。
【符号の説明】
【００５６】
１０，５０，６０，７０  照明器具
１１  器具本体
１２  カバー枠体
１３  落下防止ワイヤ
２５  ＬＥＤ
４０，５２，６２，７２  孔
４１，５３  大孔部
４２，５４  小孔部
４３，５５，６３，７４  抜止部
４４  ばね部材
５６  溝
６４，７５  爪
７３  ガイド
【図１】
0005565956.tif 000002
【図２】
0005565956.tif 000003
【図３】
0005565956.tif 000004
【図４】
0005565956.tif 000005
【図５】
0005565956.tif 000006
【図６】
0005565956.tif 000007
【図７】
0005565956.tif 000008
【図８】
0005565956.tif 000009
【図９】
0005565956.tif 000010
【図１０】
0005565956.tif 000011
【図１１】
0005565956.tif 000012
【図１２】
0005565956.tif 000013
【図１３】
0005565956.tif 000014
【図１４】
0005565956.tif 000015
【図１５】
0005565956.tif 000016
【図１６】
0005565956.tif 000017
【図１７】
0005565956.tif 000018